(57)【要約】【課題】ウエットシート収容容器の密封性を確実なものとする。【解決手段】気密部材５にウエットシートの取出口１５と、取出口１５の周囲を囲むように配された凸堤部１０と、蓋体３の内面に環状の起立壁１１を形成し、起立壁１１の先端部を凸堤部１０の内側稜線または内側傾斜面と外側稜線または外側傾斜面に接する構成とすることにより解決される。【選択図】図６
2011184106.tif 000002
【特許請求の範囲】
【請求項１】
上面に開口部が形成された容器本体と、該開口部を開閉自在に塞ぐ蓋体とを備えるウエットシート収容容器であって、
前記開口部を被覆するようにしてシート状の気密部材が配され、
前記気密部材にウエットシートの取出口と、該取出口の周囲を囲むように配された凸堤部とが形成され、
前記蓋体の内面に気密部材の取出口を囲む環状の起立壁が形成され、
閉時の前記蓋体の起立壁の先端部が凸堤部の内側稜線または内側傾斜面と外側稜線または外側傾斜面とに接する構成としたことを特徴とするウエットシート収容容器。
【請求項２】
前記蓋体の起立壁を内側環状起立壁と外側環状起立壁とで形成し、該内側環状起立壁の先端部が前記凸堤部の内側稜線または内側傾斜面に接し、前記外側環状起立壁の先端部が凸堤部の外側稜線または外側傾斜面に接する、請求項１記載のウエットシート収容容器。
【請求項３】
前記蓋体の起立壁の先端に内側縁片と外側縁片とを隔てる溝を形成し、該内側縁片の先端部が前記凸堤部の内側稜線または内側傾斜面に接し、前記外側縁片の先端部が凸堤部の外側稜線または外側傾斜面に接する、請求項１記載のウエットシート収容容器。
【請求項４】
容器本体の上面に凹部が形成され、この凹部にシート状の気密部材が嵌め込まれている、請求項１〜３のいずれか１項に記載のウエットシート収容容器。
【請求項５】
気密部材は、軟質材又は弾性体で構成されている、請求項１〜４のいずれか１項に記載のウエットシート収容容器。
【請求項６】
前記取出口は、気密部材に形成されたスリットまたは貫通部でありシートが有する伸縮性によって開閉する、請求項１〜５のいずれか１項に記載のウエットシート収容容器。
【発明の詳細な説明】
【技術分野】
【０００１】
本発明は、ウエットティシュなど、薬液等の液体を含浸させたウエットシートを収容するウエットシート収容容器に関する。
【背景技術】
【０００２】
ウエットシートは、未使用時または不使用時に湿潤状態を維持するために、気密とされた容器内に、又は詰め替え用の包装袋内に収容された状態で前記容器内に、所定枚数分だけ折り畳まれた状態で収容されている。この種のウエットシートにおいては、上下段のウエットシートが互いに重ね部分を持ちながら積み重ねられており、最上部のウエットシートを容器から取り出すと、次のウエットシートが取り出し易いように、容器の取出口よりその一部が突出する、いわゆるポップアップ方式の重畳構造が採用されている。
かかるウエットシートを収容する収容容器は、一般的に、天面部に取出口を有する容器本体と、この容器本体の天面部にヒンジ等により回動可能に結合されて前記取出口を覆う蓋体とを具備し、前記取出口の周囲と蓋体との間をシール手段によりシールすることにより、内部に収容したウエットシートに含浸された薬液の揮発が防止される構造を採る。
そのシール手段としては、従来、天面部に形成された取出口に密着する弾性材を蓋体内面に配してシール機能を付与したもの（特許文献１参照）や、蓋体内面に設けた二重リング（インナリングと小リング）間に環状弾性パッキンを介在させるとともに、容器天板の一部を構成する中蓋にシールリングを形成し、このシールリング先端が蓋体を閉じた状態で前記二重リング間に収まるとともに前記弾性パッキンに当接するようにしてシール機能を発揮するようにしたもの（特許文献２参照）が知られる。
【先行技術文献】
【特許文献】
【０００３】
【特許文献１】特開２０００−１４２８４２
【特許文献２】特開平１１−４９２０６
【発明の概要】
【発明が解決しようとする課題】
【０００４】
しかしながら、これら従来のシール手段は、度重なる開閉による蓋体の歪みやねじれ、度重なるウエットシートの取り出しに伴う天面部の歪みやねじれ、などによって簡単にシールリング頂点が弾性パッキンから離間してしまい、もってシール機能が不十分となることがあり、ウエットシートに含浸した薬液が揮発してしまうことがあった。
また、従来例は、取出口が広く形成されているため、蓋体の開け閉めをおこなうだけで薬液が多く揮発してしまい、短期間でウエットシートの品質が低下することがあった。
そこで、本発明の主たる課題は、確実なシール機能を発揮し長期に渡ってウエットシートを湿潤状態の保持するウエットシート収容容器を提供することにある。
【課題を解決するための手段】
【０００５】
上記課題を解決した本発明およびその作用効果は次記のとおりである。
＜請求項１記載の発明＞
上面に開口部が形成された容器本体と、該開口部を開閉自在に塞ぐ蓋体とを備えるウエットシート収容容器であって、
前記開口部を被覆するようにしてシート状の気密部材が配され、
前記気密部材にウエットシートの取出口と、該取出口の周囲を囲むように配された凸堤部とが形成され、
前記蓋体の内面に気密部材の取出口を囲む環状の起立壁が形成され、
閉時の前記蓋体の起立壁の先端部が凸堤部の内側稜線または内側傾斜面と外側稜線または外側傾斜面とに接する構成としたことを特徴とするウエットシート収容容器。
【０００６】
（作用効果）
取出口と凸堤部とが一体的に形成されているので、構造が簡易であり製造が容易となる。また、起立壁が気密部材に当接する簡易な構造で確実に気密性が確保できるようになる。
【０００７】
＜請求項２記載の発明＞
前記蓋体の起立壁を内側環状起立壁と外側環状起立壁とで形成し、該内側環状起立壁の先端部が前記凸堤部の内側稜線または内側傾斜面に接し、前記外側環状起立壁の先端部が凸堤部の外側稜線または外側傾斜面に接する、請求項１記載のウエットシート収容容器。
【０００８】
（作用効果）
本発明では、内側環状起立壁と外側環状起立壁とがそれぞれ凸堤部に接するように構成されている。すなわち、本発明は蓋体を閉じた状態では取出口は少なくとも二つの壁に囲まれるように密封されて二重にシールされた状態となる。したがって、従来、ウエットシート収容容器と比較して、容器本体内に収められたウエットシートから薬液等が外部に蒸散することが防止され、もってウエットシートの品質低下が防止される。
【０００９】
＜請求項３記載の発明＞
前記蓋体の起立壁の先端に内側縁片と外側縁片とを隔てる溝を形成し、該内側縁片の先端部が前記凸堤部の内側稜線または内側傾斜面に接し、前記外側縁片の先端部が凸堤部の外側稜線または外側傾斜面に接する、請求項１記載のウエットシート収容容器。
【００１０】
（作用効果）
本発明では、内側縁辺と外側縁片とがそれぞれ凸堤部に接するように構成されている。すなわち、本発明は蓋体を閉じた状態では取出口は少なくとも二つの縁片に囲まれるように密封されて二重にシールされた状態となる。したがって、従来、ウエットシート収容容器と比較して、容器本体内に収められたウエットシートから薬液等が外部に蒸散することが防止され、もってウエットシートの品質低下が防止される。
【００１１】
＜請求項４記載の発明＞
容器本体の上面に凹部が形成され、この凹部にシート状の気密部材が嵌め込まれている、請求項１〜３のいずれか１項に記載のウエットシート収容容器。
【００１２】
（作用効果）
蓋体の内面に気密部材を取付けると、蓋体の度重なる開閉に起因する蓋自体の変形によって気密性（密閉性）の確保が難しくなることがあるが、本発明では気密部材を容器本体の上面に設けたことにより、蓋体の内面に気密部材を取付ける場合に比べて、より長期かつ安定的にウエットシートの品質を保持することができる。また、気密部材の配置が容易となりもって製造が容易となる。
【００１３】
＜請求項５記載の発明＞
気密部材は、軟質材又は弾性体で構成されている、請求項１〜４のいずれか１項に記載のウエットシート収容容器。
【００１４】
（作用効果）
気密部材を軟質材又は弾性体で構成することによって、気密部材が変形して起立壁に圧接させることができ、より気密性（密閉性）の確保がし易くなる。
【００１５】
＜請求項６記載の発明＞
前記取出口は、気密部材に形成されたスリットまたは貫通部でありシートが有する伸縮性によって開閉する、請求項１〜５のいずれか１項に記載のウエットシート収容容器。
【００１６】
（作用効果）
取出口が気密部材に形成されたスリットであるため、気密部材を弾性体等にすると、ウエットシートの取り出しのさい取出口縁がウエットシートとの摩擦によって上方に向かって若干持ち上げられ、これにより取出口縁近傍が伸張される作用とともに取出口が若干広がるようになりウエットシートの取り出しが易化する。そして、一枚のウエットシートが取り出された後には、伸張した取出口縁が直ちに収縮して薬液の揮発経路となる開口を最小にならしめ、もって取り出し時における容器内のウエットシートの薬液の蒸散を最小限にすることができる。
【発明の効果】
【００１７】
以上のとおり、本発明は、凸堤部に代表される気密部とスリット状に代表される取出口が同一の気密部材に形成されていることを基本構造としている。そしてこの本発明によれば、確実なシール機能が発揮され、長期に渡ってウエットシートを湿潤状態の保持するウエットシート収容容器が提供される。
【図面の簡単な説明】
【００１８】
【図１】第１の形態にかかるウエットシート収容容器の正面図である。
【図２】そのII−II断面図である。
【図３】第１の形態にかかるウエットシート収容容器の蓋を開けた状態の正面図である。
【図４】第１の形態の取出口近傍の拡大断面図である。
【図５】第２の形態にかかるウエットシート収容容器の取出口近傍の拡大断面図である。
【図６】第３の形態にかかるウエットシート収容容器の取出口近傍の拡大断面図である。
【図７】第３の形態の他の例にかかるウエットシート収容容器の取出口近傍の拡大断面図である。
【図８】第４の形態にかかるウエットシート収容容器の取出口近傍の拡大断面図である。
【図９】第４の形態の他の例にかかるウエットシート収容容器の取出口近傍の拡大断面図である。
【図１０】第５の形態にかかるウエットシート収容容器の取出口近傍の拡大断面図である。
【図１１】第６の形態にかかるウエットシート収容容器の取出口近傍の拡大断面図である。
【図１２】第６の形態の他の例にかかるウエットシート収容容器の取出口近傍の拡大断面図である。
【発明を実施するための形態】
【００１９】
以下、図面を参照しながら、本発明の実施の形態を説明する。
＜第１の参考実施の形態＞
図１は本形態に係るウエットシート収容容器Ｘ１の正面図であり、図２はウエットシート収容容器Ｘ１のII−II断面図であり、図３は蓋体３を開けた状態のウエットシート収容容器Ｘ１の正面図であり、図４は取出口近傍の拡大断面概略図である。
【００２０】
本形態に係るウエットシート収容容器Ｘ１は、図１〜４に示すように、底面が開口とされる容器本体２と、この容器本体２の底部に着脱自在に取付けられる底蓋４と、容器本体２の上部に形成された取出口１５を開閉自在に塞ぐことが可能な蓋体３と、を備えている。容器本体２へのウエットシートＷの収納は、底蓋４を容器本体２から取外して、容器本体２の底部２Ｂから行なわれる。
【００２１】
容器本体２の上面には、蓋体３よりも若干大きい略矩形状で、かつ容器本体２上面より蓋体３の厚み分だけ一段低い段差が設けられた段差部２ａが形成されており、これによって開口部５を蓋体３が塞ぐ際には、容器本体２の最上面部と蓋体３の上面とが略面一になるようになっている。
【００２２】
また、容器本体２の上面であって、かつ段差部２ａの略中央には、段差部２ａからさらに一段低い略楕円状の凹部６が形成されており、この凹部６の周底の略中央に開口部２Ｈが形成されている。凹部６の形成により蓋体３を閉じた状態で、蓋体３の内面側と後述の取出口５との間に空間を形成し、この空間内に取出口５から突出したウエットシートＷの一部が収まる。
【００２３】
凹部６には、この凹部６と同形状であって大きさが等しいまたは若干大きく形成されたシート状の気密部材５が嵌め込まれている。前記気密部材５は、シリコン樹脂等の軟質材、加硫ゴム、熱可塑性エラストマー、弾性繊維、弾性発泡体、合成ゴム、発泡ポリエチレン等の弾性体などが用いられる。
【００２４】
このシート状の気密部材５は、前記開口部２Ｈの周縁部６ｂ（凹部の周底部でもある）で支持されているとともに、前記容器本体２の開口部２Ｈを被覆している。そして、この気密部材５は前記開口部２Ｈの上方位置に十字スリット状の取出口１５が形成されており、もって容器本体２に形成されて開口部２Ｈおよび取出口１５を通ってウエットシートＷが取り出される。この取り出しのさい、すなわち取出口１５から露出するウエットシートＷの一部を持って引き出すさいに、取出口１５縁がウエットシートとの摩擦によって上方に向かって若干持ち上げられ、これにより取出口縁近傍が伸張される作用とともにスリット１５が広がりウエットシートが取り出される。そして、一枚のウエットシートが取り出された後には、ただちにスリット縁は収縮して薬液の揮発経路となるスリット開口を最小にならしめる。また、一枚のウエットシートが取り出された後に、ただちにスリット開口が収縮することにより、それに続く後方のウエットシートの一部を確実に保持し、もってウエットシートの一枚毎の取り出しを確実なものとして好適なポップアップ式形態を可能ならしめる。
【００２５】
ここでシート状の気密部材５の凹部６内での固定は、例えば、図示例の如く凹部周底６ｂに係止突片１４を設けてこの係止突片１４を気密部材５に適宜形成した固定用穴部１６にはめ込むようにしてもよいし、凹部周側壁６ｓの途中に突出するよう係止突片（図示しない）を数箇所（例えば、楕円の短軸・長軸方向のそれぞれ２箇所ずつで計４箇所）形成して、この係止突片と凹部周底との間に気密部材を挟持させるように構成したり、凹部の周底部６ｂにシート状気密部材を接着剤で接着したりすれば、容易である。
【００２６】
一方、前記気密部材５には、前記取出口１５を囲むようにして、凸堤部１０が形成されている。この凸堤部１０の下方位置までは、容器本体２の凹部６の周底部６ｂが延在しており上方がわからの押圧に対する剛性がある程度確保されている。
【００２７】
他方、容器本体２の上面には、容器本体２の一側辺側を回動支点（ヒンジ部）３０として開閉自在とされた蓋体３が設けられており、この蓋体３は未使用時または不使用時に少なくとも取出口１５、好適には開口部２Ｈが形成されている範囲を塞ぐように構成されている。また、ヒンジ３０近傍には弾性復元力により上記蓋を全開可能とする弾性体（図示せず）が配設されており、上記容器本体と上記蓋とに設けられた該蓋の閉時に互いに係止して該蓋を閉蓋位置に保つ係止機構部２１Ａ、２１Ｂの解除により簡易に蓋を開けることが可能とされている。
【００２８】
ここで、本形態では特徴的に前記蓋体３の内面の中央付近に、蓋体天面から下方（内面側）に向かって突出するように起立し、かつその先端縁が蓋体３を閉じた状態で前記気密部材に全周にわたって接する環状に形成された起立壁１１が形成されている。また、前記起立壁１１は、本形態では蓋体３を閉じた状態では気密部材５に形成された凸堤部１０の内側基端部近傍に接するように形成されており、もって取出口１５を囲むように気密部材５と接する。すなわち、起立壁１１の先端周縁と気密部材５の当接部分が本発明にいう気密部である。ここで、前述のとおりこの凸堤部１０の下方位置までは、容器本体２の凹部周底部６ｂが延在されていることから、起立壁１１先端の接触によってシート状気密部材５が過度に下方側（容器内側）に押し込まれて変形することはなく、気密部材５自体が有する弾性力に応じて適度に起立壁１１の先端周縁に対して気密部材５表面が圧接する。
【００２９】
このように、蓋体３を閉じた状態で蓋体３の起立壁１１と前記シート状の気密部材５とが、適度な圧力をもって当接するとともに、容器本体２内に収められたウエットシートＷから薬液が取出口１５を介して外部に蒸散することが防止され、ウエットシートＷの品質低下が防止される。
【００３０】
＜第２の参考実施の形態＞
次いで、第２の実施の形態Ｘ２を説明する。第２の実施の形態Ｘ２は、シート状の気密部材の形状の相違による気密部の態様が相違するほかは、第１の実施の形態と同様であるので、共通事項について説明は省略する。本形態は、図５に取出口１５の近傍の構造が示されるように、シート状の気密部材５に凸堤部はなく、代わって取出口１５を囲むようにして環状の溝部１２が形成されている。
【００３１】
そして、本形態では蓋体３を閉じた状態としたときに、蓋体３に形成された起立壁１１（構造は第１の実施の形態と同様）の先端周縁が、溝部１２に嵌るように構成されており、このときに溝部１２の内壁面が起立壁１１の内側壁１１ｉおよび外側壁１１ｏにそれぞれ接するとともに、溝部の底面が起立壁１１の先端縁１１ｔに接し、気密部を構成する。
【００３２】
本形態では、図からも明らかなとおり、容器本体２の凹部６の周底部６ｂにも凹溝６ｍが形成されていてこの容器本体凹溝６ｍに、シート状の気密部材５に形成された凹溝６ｍに合わせてその反対面側に形成される凸部が、嵌合されるように構成されている。
【００３３】
本形態は、起立壁１１と気密部材５との接触部分が多くなるため、第１の形態よりも気密性が高いものとなる。
【００３４】
＜第３の実施の形態＞
次いで、第３の実施の形態Ｘ３を説明する。第３の実施の形態Ｘ３は、蓋体３に形成される起立壁１１およびシート状の気密部材５の凸堤部１０の形状の相違による気密部の態様が相違するほかは、第１の実施の形態と同様である。
【００３５】
本形態は、図６に取出口近傍の構造が示されるように、シート状の気密部材５に形成された凸堤部１０が断面山型形状をなしている。
【００３６】
一方、蓋体３に形成された起立壁１１の先端が二股に分かれており内側縁片１１ａおよび外側縁片１１ｂが形成されている。
【００３７】
そして、前記蓋体３を閉じた状態では、前記内側縁片１１ａが前記断面山形の凸堤部１０の内側傾斜面１０ａに全周に渡って接し、外側縁片１１ｂが外側傾斜面１０ｂに全周に渡って接するように構成されている。
【００３８】
本形態では、内側縁片１１ａおよび外側縁片１１ｂの二周縁が凸堤部１０に接するようになるので、気密性が高くなる。
【００３９】
なお、本形態の変形例として、例えば、図７に示す例Ｘ４ように、凸堤部１０が頂面を有する断面台形形状をなし、その内側縁片１１ａが内側稜線１０ｃに接し、外側縁片１１ｂが外側稜線１０ｄに接するように構成した例を挙げることができる。
【００４０】
また、図示の形態では、内外縁片１１ａ，１１ｂの高さ（長さ）が同じに形成されているが、これらは必ずしも同じ高さである必要はない。
【００４１】
＜第４の実施の形態＞
次いで、第４の実施の形態Ｘ５を説明する。第４の実施の形態Ｘ５は、蓋体３に形成される起立壁１１およびシート状の気密部材５の凸堤部１０の形状の相違による気密部の態様が相違するほかは、第１の実施の形態と同様である。
【００４２】
本形態Ｘ５は、図８に取出口近傍の構造が示されるように、シート状の気密部材５に形成された凸堤部１０が断面山型形状をなしている。
【００４３】
一方、蓋体３の内面には、内側環状起立壁１１Ａおよび外側環状起立壁１１Ｂの二つの起立壁が形成されている。
【００４４】
そして、前記蓋体３を閉じた状態では、前記内側環状起立壁１１Ａの先端部が前記凸堤部１０の内側傾斜面１０ａに接し、外側環状起立壁１１Ｂの先端部が外側傾斜面１０ｂとに接するように構成されている。すなわち、前記蓋体３を閉じた状態では、両起立壁先端部１１Ａ，１１Ｂ間に凸堤部１０が全周に渡って接しつつ嵌り込むように構成されている。
【００４５】
本形態では、内側環状起立壁１１Ａおよび外側環状起立壁１１Ｂがそれぞれ凸堤部１０に接するようになるので気密性が高くなる。
【００４６】
なお、本形態の変形例として、例えば、図９に示す例Ｘ６ように、凸堤部１０が頂面を有する断面台形形状をなし、その内側環状起立壁１１Ａが内側稜線１０ｃに接し、外側環状起立壁１１Ｂが外側稜線１０ｄに接するように構成した例を挙げることができる。
【００４７】
また、図示の形態では、内外起立壁の高さ（長さ）が同じに形成されているが、これらは必ずしも同じ高さである必要はない。
【００４８】
＜第５の参考実施の形態＞
次いで、第５の実施の形態Ｘ７を説明する。第５の実施の形態Ｘ７は、蓋体３に起立壁１１が形成されていない形態である。本形態Ｘ７では、シート状の気密部材５に形成された取出口１５を囲むように形成された凸堤部１０が第１の形態よりも高く（長く）形成されており、蓋体３を閉じた状態においてこの凸堤部１０の先端が全周に渡って蓋体３の内面（天板）に圧接するように構成されている。その他の構造は、第１の実施の形態と同様である。
【００４９】
＜第６の参考実施の形態＞
次いで、第６の実施の形態Ｘ８、Ｘ９を説明する。第６の実施の形態Ｘ８、Ｘ９は、気密部材５に二つの凸堤部１０Ａ，１０Ｂが形成されている形態である。その他の構成は第１の実施の形態と同様である。
【００５０】
本形態Ｘ８、Ｘ９では、図１１または１２に示されるように、気密部材５に取出口１５を囲むようにして二つの凸堤部（内側凸堤部１０Ａおよび外側凸堤部１０Ｂ）が形成されている。そして、蓋体３を閉じた状態で、起立壁１１の内側壁面１１ｉが内側凸堤部１０Ａに全周に渡って接触し、外側壁面１１ｏが外側凸堤部１０Ｂに全周に渡って接触するように構成されている。
【産業上の利用可能性】
【００５１】
本発明は、手拭用途、肌の清拭用途に用いるウエットティッシュや、各種対象物の清拭用途等に用いるウエットワイプなど、アルコール、保湿材、その他薬材など適宜の液体を含浸させたウエットシートを収容する収容容器に利用可能である。
【符号の説明】
【００５２】
２…容器本体、２ａ…段差部、２Ｂ…容器底部開口、２Ｈ…開口部、３…蓋体、４…底蓋、５…気密部材、６…楕円形凹部、６ｓ…凹部周側壁、６ｂ…凹部周底、６ｍ…容器本体凹溝、１０…凸堤部、１０ａ…凸堤部内側傾斜面、１０ｂ…凸堤部外側傾斜面、１０ｃ…凸堤部内側稜線、１０ｄ…凸堤部外側稜線、１０Ａ…内側凸堤部、１０Ｂ…外側凸堤部、１１…起立壁、１１ａ…内側縁片、１１ｂ…外側縁片、１１ｉ…起立壁の内側壁面、１１ｏ…起立壁の外側壁面、１１ｔ…起立壁の先端縁、１１Ａ…内側起立壁、１１Ｂ…外側起立壁、１２…環状溝部、Ｗ…ウエットシート、１４…係止突片、１５…取出口、１６…固定用穴部、２１Ａ，２１Ｂ…係止機構部、３０…ヒンジ、Ｘ１〜Ｘ９…ウエットシート収容容器。
【図１】
2011184106.tif 000003
【図２】
2011184106.tif 000004
【図３】
2011184106.tif 000005
【図４】
2011184106.tif 000006
【図５】
2011184106.tif 000007
【図６】
2011184106.tif 000008
【図７】
2011184106.tif 000009
【図８】
2011184106.tif 000010
【図９】
2011184106.tif 000011
【図１０】
2011184106.tif 000012
【図１１】
2011184106.tif 000013
【図１２】
2011184106.tif 000014